(57)【要約】【課題】ホログラフィーを利用して記録媒体に記録された情報をその記録媒体から再生する光情報再生装置であって、この記録媒体に再生用参照光を照射して得られた再生像を検出する際の計算量をより少なくし、迅速な処理を行うことのできる光情報再生装置、並びにこの光情報再生装置を実現するためのプログラムを格納した記録媒体を提供する。【解決手段】再生用参照光を情報記録層に対して照射すると共に、再生用参照光が照射されることによって発生される再生光を収集し、検出するに際し、再生光に含まれる再生像の位置決めを行うためのシンクコードは全て同一のピクセル値を持つように設定され、ＸＹ平面からなるサーチ範囲においていずれか一方の成分を固定してもう一方向での相関値を求め、次いで固定していた方の方向での相関値を取得し、前記サーチ範囲において得られた全ての相関値から最大となるものをマッチングが取れた位置とする。【選択図】    図５
2004310957.tif 000002
【特許請求の範囲】
【請求項１】
ホログラフィーを利用して情報を記録した情報記録層を備えた光情報記録媒体から情報を再生する光情報再生装置であって、
光源と、
前記光源から出射される光束を用いて再生用参照光を生成する再生用参照光生成手段と、
前記再生用参照光を前記情報記録層に対して照射すると共に、前記再生用参照光が照射されることによって発生される再生光を収集するための再生光学系と、
前記再生光を検出する検出手段と、からなり、
前記検出手段において、前記再生光に含まれる再生像の位置決めを行うためのシンクコードは全て同一のピクセル値を持つように設定され、ＸＹ平面からなるサーチ範囲においていずれか一方の成分を固定してもう一方向での相関値を求め、次いで固定していた方の方向での相関値を取得し、前記サーチ範囲において得られた全ての相関値から最大となるものをマッチングが取れた位置とする
ことを特徴とする光情報再生装置。
【請求項２】
前記サーチ範囲におけるＸ方向にサーチした場合の相関値は、
【数１】
2004310957.tif 000017
のように表されることを特徴とする請求項１記載の光情報再生装置。
【請求項３】
前記サーチ範囲におけるＹ方向にサーチした場合の相関値は、
【数２】
2004310957.tif 000018
のように表されることを特徴とする請求項２記載の光情報再生装置。
【請求項４】
前記再生光学系は、前記再生用参照光の前記情報記録層への照射と前記再生光の収集とを前記光情報記録媒体に対して同一側で行うことを特徴とする請求項３記載の光情報再生装置。
【請求項５】
前記再生光学系は、前記再生用参照光の光軸と前記再生光の光軸とが同一線上に配置されるように、前記再生用参照光の照射と前記再生光の収集とを行うことを特徴とする請求項４記載の光情報再生装置。
【請求項６】
前記再生光学系は、前記再生用参照光の照射と前記再生光の収集を単一の対物レンズにより行うことを特徴とする請求項４記載の光情報再生装置。
【請求項７】
ホログラフィーを利用して情報を記録した情報記録層を備えた光情報記録媒体から再生された再生像を検出器において検出するためのプログラムであって、
前記再生像の位置決めを行うためのシンクコードは全て同一のピクセル値を持つように設定され、
前記シンクコードと前記再生像との相関値の初期値を設定するステップと、
位置決めのためのサーチ範囲のＸＹ方向のうち、いずれか一方の固定してもう一方の方向へのサーチを行うことにより一方向のみの相関値を算出するステップと、
前記固定した方向へのサーチを行うことにより前記サーチ範囲の全ての相関値を算出するステップと、
前記サーチ範囲における全ての相関値の中から最大値を有する相関値の位置を前記シンクコードと前記再生像の位置決めが取れた位置とするステップと、
からなることを特徴とするコンピュータが読み取り可能なプログラムが記録されている記録媒体。
【請求項８】
前記サーチ範囲におけるＸ方向にサーチした場合の相関値は、
【数３】
2004310957.tif 000019
のように表されることを特徴とする請求項７記載の記録媒体。
【請求項９】
前記サーチ範囲におけるＹ方向にサーチした場合の相関値は、
【数４】
2004310957.tif 000020
のように表されることを特徴とする請求項８記載の記録媒体。
【発明の詳細な説明】
【０００１】
【発明の属する技術分野】
本発明は、ホログラフィーを利用して情報を記録した情報記録層を具備した光情報記録媒体から情報を再生する光情報再生装置、ならびにその光情報再生装置に用いられる再生像を検出するためのプログラムを格納した記録媒体に関する。
【０００２】
【従来の技術】
ホログラフィを利用して記録媒体に情報を記録するホログラフィック記録は、一般的に、イメージ情報を持った光と参照光とを記録媒体の内部で重ね合わせ、そのときにできる干渉縞を記録媒体に書き込むことによって行われる。記録された情報の再生時には、その記録媒体に参照光を照射することにより、干渉縞による回折によりイメージ情報が再生される。
【０００３】
近年では、超高密度光記録のために、ボリュームホログラフィ、特にデジタルボリュームホログラフィが実用域で開発され注目を集めている。ボリュームホログラフィとは、記録媒体の厚み方向も積極的に活用して、３次元的に干渉縞を書き込む方式であり、厚みを増すことで回折効率を高め、多重記録を用いて記録容量の増大を図ることができるという特徴がある。そして、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。このデジタルボリュームホログラフィでは、例えばアナログ的な絵のような画像情報も、一旦デジタイズして、２次元デジタルパターン情報（ページデータともいう）に展開し、これをイメージ情報として記録する。再生時は、このデジタルパターン情報を読み出してデコードすることで、元の画像情報に戻して表示する。これにより、再生時にＳＮ比（信号対雑音比）が多少悪くても、微分検出を行ったり、２値化データをコード化しエラー訂正を行ったりすることで、極めて忠実に元の情報を再現することが可能になる。
【０００４】
このような２次元デジタルパターン情報には、パターン検出の際に使用される、位置決め用のＳｙｎｃコードが含まれている。このＳｙｎｃコードはＣＣＤやＣＭＯＳのような画像検出器上に設けられたＳｙｎｃコードとのマッチングが取られる。そして、両Ｓｙｎｃコードが一致するようにして位置決めがなされ、再生画像が検出される。なお、図１は２次元デジタルパターン（ページデータ）を示している。図１において、複数個ある明るい大きめのマークがＳｙｎｃコードであり、これを用いてＣＣＤやＣＭＯＳなどの画像検出器上で位置合わせが行われる。
【０００５】
２つの画像のマッチングを取るための１つの方法として、テンプレートマッチングが知られている。テンプレートマッチングについては、昭和６１年６月１日発行の「コンピュータ画像処理入門」（総研出版）の第１４９ページから１５１ページに掛けて開示されている。
【０００６】
テンプレートマッチングは、ある画像情報の中から所望画像パターンが効率よく検知することができるものである。図２は、テンプレートマッチングの中でよく用いられる手法である、最大相関アプローチを示している。図２において、Ｗｓ×Ｈｓはソース画像（再生像）の大きさを示し、Ｗｔ×Ｈｔはテンプレート画像（画像検出器上のＳｙｎｃコード）を示している。また、Ｗ×Ｈはサーチウィンドウを示し、Ｗ＝Ｗｓ−Ｗｔ＋１、Ｈ＝Ｈｓ−Ｈｔ＋１である。この最大相関を取る方法では、ソース画像（再生像）とテンプレート画像（Ｓｙｎｃコード）との間の最大相関が、式（１）を用いて計算される。
【０００７】
【数５】
2004310957.tif 000003
式（１）において、（ｘ，ｙ）はサーチ領域、Ｓ（ｘ，ｙ）はソース画像、Ｔ（ｘ，ｙ）はテンプレート画像を示している。
【０００８】
式（１）で示される相関値は再生像の中のあるパターンとテンプレート画像との類似性を示すものであるが、この相関値は、全体のページデータを複数分割して設けられた１つの領域におけるソース画像（再生像）の中の全ての座標位置について算出される。２つの画像が一番類似性を有する場合には、式（１）の相関値は最大となるので、最大となる場合の位置がマッチングの取れた位置となるのである。
【０００９】
【非特許文献１】
「コンピュータ画像処理入門」（総研出版）
【発明が解決しようとする課題】
しかしながら、上述の最大相関値を算出するのに式（１）を用いるのは、計算量が膨大となり、迅速な処理による画像検出実現には問題である。つまり、式（１）によれば、全てのサーチポジション（ｘ，ｙ）において計算は４次元的に行われなければならない（２次元のテンプレート画像と２次元のサーチウィンドウ内での乗算と積算である）。ホログラフィック記録では、画像の転送レートをなるべく上げる必要があるため、この計算量の膨大さは致命的になりかねない。迅速な処理を行うために、一般にＦＦＴ（Ｆａｓｔ  Ｆｏｕｒｉｅｒ  Ｔｒａｎｓｆｏｒｍ）アルゴリズムを用いることが考えられるが、ＦＦＴはホログラフィックストレージシステムにおけるＳｙｎｃコード検出には適したものではない。本システムではＳｙｎｃコードのサイズが小さすぎるからである。
【００１０】
本発明は、かかる問題点に鑑みてなされたものであり、その目的は、ホログラフィーを利用して記録媒体に記録された情報をその記録媒体から再生する光情報再生装置であって、この記録媒体に再生用参照光を照射して得られた再生像を検出する際の計算量をより少なくし、迅速な処理を行うことのできる光情報再生装置を提供することにある。
【００１１】
また、本発明の目的は、上述のような光情報再生における再生像の検出を実現するプログラムを格納する記録媒体を提供することにある。
【００１２】
【課題を解決するための手段】
請求項１記載の光情報再生装置は、ホログラフィーを利用して情報を記録した情報記録層を備えた光情報記録媒体から情報を再生する光情報再生装置であって、光源と、この光源から出射される光束を用いて再生用参照光を生成する再生用参照光生成手段と、再生用参照光を情報記録層に対して照射すると共に、再生用参照光が照射されることによって発生される再生光を収集するための再生光学系と、再生光を検出する検出手段と、からなり、検出手段において、再生光に含まれる再生像の位置決めを行うためのシンクコードは全て同一のピクセル値を持つように設定され、ＸＹ平面からなるサーチ範囲においていずれか一方の成分を固定してもう一方向での相関値を求め、次いで固定していた方の方向での相関値を取得し、サーチ範囲において得られた全ての相関値から最大となるものをマッチングが取れた位置とするようにしたものである。
【００１３】
また、サーチ範囲におけるＸ方向にサーチした場合の相関値は、
【００１４】
【数６】
2004310957.tif 000004
のように表される。
【００１５】
さらに、サーチ範囲におけるＹ方向にサーチした場合の相関値は、
【００１６】
【数７】
2004310957.tif 000005
のように表される。
【００１７】
一方、再生光学系は、再生用参照光の情報記録層への照射と再生光の収集とを光情報記録媒体に対して同一側で行うようにしている。
【００１８】
また、再生光学系は、再生用参照光の光軸と再生光の光軸とが同一線上に配置されるように、再生用参照光の照射と再生光の収集とを行うようにしている。
【００１９】
さらに、再生光学系は、再生用参照光の照射と再生光の収集を単一の対物レンズにより行うようにしている。
【００２０】
請求項７記載の記録媒体は、ホログラフィーを利用して情報を記録した情報記録層を備えた光情報記録媒体から再生された再生像を検出器において検出するためのプログラムであって、再生像の位置決めを行うためのシンクコードは全て同一のピクセル値を持つように設定され、シンクコードと再生像との相関値の初期値を設定するステップと、位置決めのためのサーチ範囲のＸＹ方向のうち、いずれか一方の固定してもう一方の方向へのサーチを行うことにより一方向のみの相関値を算出するステップと、固定した方向へのサーチを行うことによりサーチ範囲の全ての相関値を算出するステップと、サーチ範囲における全ての相関値の中から最大値を有する相関値の位置を前記シンクコードと再生像の位置決めが取れた位置とするステップと、からなる、コンピュータが読み取り可能なプログラムが記録されている。
【００２１】
この記録媒体に記録されているプログラムにおいても、サーチ範囲におけるＸ方向にサーチした場合の相関値は、
【００２２】
【数８】
2004310957.tif 000006
のように表され、また、サーチ範囲におけるＹ方向にサーチした場合の相関値は、
【００２３】
【数９】
2004310957.tif 000007
のように表される。
【００２４】
【発明の実施の形態】
図３は、本実施の形態に係る光情報再生装置におけるピックアップ装置（以下、単にピックアップと言う。）と本実施の形態における光情報記録媒体の構成を示す説明図、図４は本実施の形態に係る光情報再生装置の全体構成を示すブロック図である。なお、本実施の形態では光情報記録媒体として円盤状の光ディスクを用いているが、カード状の記録媒体を用いることができる。
【００２５】
まず、図３を参照して、本実施の形態における光情報記録媒体の構成について説明する。この光情報記録媒体１は、ポリカーボネート等によって形成された円板状の透明基板２の一面に、ボリュームホログラフィを利用して情報が記録される情報記録層としてのホログラム記録層３と、保護層の機能をも有する透明基板４と、反射膜５とを、この順番で積層して構成されている。透明基板４は、例えば、インジェクションで作成されたアドレス付基板である。その基板４には、半径方向に線状に延びる複数の位置決め領域としてのアドレス・サーボエリア６が所定の角度間隔で設けられ、隣り合うアドレス・サーボエリア６間の扇形の区間がデータエリア７になっている。このアドレス・サーボエリア６の上にも反射膜５が形成されている。アドレス・サーボエリア６には、サンプルドサーボ方式によってフォーカスサーボおよびトラッキングサーボを行うための情報とアドレス情報とが、予めエンボスピット等によって記録されている（プリフォーマット）。なお、フォーカスサーボは、反射膜５の反射面を用いて行うことができる。トラッキングサーボを行うための情報としては、例えばウォブルピットを用いることができる。
【００２６】
本実施の形態では、光情報記録媒体全体の厚みが１．２ｍｍで、ＣＤやＤＶＤと同じ厚さとなるように構成しているので、ホログラム記録媒体としてこれらとの互換性を保つことができるようになる。なお、ホログラム記録層３は、光が照射されたときに光の強度に応じて屈折率、誘電率、反射率等の光学的特性が変化するホログラム材料によって形成されている。ホログラム材料としては、例えば、デュポン（Ｄｕｐｏｎｔ）社製フォトポリマ（ｐｈｏｔｏｐｏｌｙｍｅｒｓ）ＨＲＦ−６００（製品名）等が使用される。また、反射膜５は、例えばアルミニウムによって形成されている。
【００２７】
次に、図４を参照して、本実施の形態に係る光情報再生装置の構成について説明する。この光情報再生装置１０は、光情報記録媒体１が取り付けられるスピンドル８１と、このスピンドル８１を回転させるスピンドルモータ８２と、光情報記録媒体１の回転数を所定の値に保つようにスピンドルモータ８２を制御するスピンドルサーボ回路８３とを備えている。光情報再生装置１０は、更に、光情報記録媒体１に対して再生用参照光を照射し、再生光を検出して、光情報記録媒体１に記録されている情報を再生するためのピックアップ１１と、このピックアップ１１を光情報記録媒体１の半径方向に移動可能とする駆動装置８４とを備えている。
【００２８】
光情報再生装置１０は、更に、ピックアップ１１の出力信号よりフォーカスエラー信号ＦＥ，トラッキングエラー信号ＴＥおよび再生信号ＲＦを検出するための検出回路８５と、この検出回路８５によって検出されるフォーカスエラー信号ＦＥに基づいて、ピックアップ１１内のアクチュエータを駆動して対物レンズを光情報記録媒体１の厚み方向に移動させてフォーカスサーボを行うフォーカスサーボ回路８６と、検出回路８５によって検出されるトラッキングエラー信号ＴＥに基づいてピックアップ１１内のアクチュエータを駆動して対物レンズを光情報記録媒体１の半径方向に移動させてトラッキングサーボを行うトラッキングサーボ回路８７と、トラッキングエラー信号ＴＥおよび後述するコントローラからの指令に基づいて駆動装置８４を制御してピックアップ１１を光情報記録媒体１の半径方向に移動させるスライドサーボを行うスライドサーボ回路８８とを備えている。
【００２９】
光情報再生装置１０は、更に、ピックアップ１１内の後述するＣＭＯＳセンサ又はＣＣＤアレイの出力データをデコードして、光情報記録媒体１のデータエリア７に記録されたデータを再生したり、検出回路８５からの再生信号ＲＦより基本クロックを再生したりアドレスを判別したりする信号処理回路８９と、光情報記録再生装置１０の全体を制御するコントローラ９０と、このコントローラ９０に対して種々の指示を与える操作部９１とを備えている。コントローラ９０は、信号処理回路８９より出力される基本クロックやアドレス情報を入力すると共に、ピックアップ１１、スピンドルサーボ回路８３およびスライドサーボ回路８８等を制御するようになっている。スピンドルサーボ回路８３は、信号処理回路８９より出力される基本クロックを入力するようになっている。コントローラ９０は、ＣＰＵ（中央処理装置）、ＲＯＭ（リード・オンリ・メモリ）およびＲＡＭ（ランダム・アクセス・メモリ）を有し、ＣＰＵが、ＲＡＭを作業領域として、ＲＯＭに格納されたプログラムを実行することによって、コントローラ９０の機能を実現するようになっている。
【００３０】
次に、さらに図３を参照して、本実施の形態におけるピックアップ１１の構成について説明する。ピックアップ１１は、スピンドル８１に光情報記録媒体１が固定されたときに、光情報記録媒体１の透明基板２側に対向する対物レンズ１２と、この対物レンズ１２を光情報記録媒体１の厚み方向および半径方向に移動可能なアクチュエータ１３と、対物レンズ１２における光情報記録媒体１の反対側に、対物レンズ１２側から順に配設された４分の１波長板１４、ミラー１５、偏光ビームスプリッタ１６を備えている。ここで、４分の１波長板は、Ｐ偏光やＳ偏光のように直線偏光の光が入射し、その直線偏光の方位が４分の１波長板における結晶の光学軸に対してなす角度が４５度のとき、通過光を直線偏光から円偏光の光にするものである。４分の１波長板は直線偏光を円偏光にしたり、円偏光から直線偏光にしたりするのに用いられる。本実施例の場合、Ｐ偏光の光が４分の１波長板に入射して円偏光の光となり、光情報記録媒体１に反射して戻り光が４分の１波長板を再び出射する祭には円偏光からＳ偏光の光となる。
【００３１】
また、ピックアップ１１は、偏光ビームスプリッタ１６の偏光分離面１６ａで光情報記録媒体１からの戻り光（再生光）が反射する側（ＰＢＳ１６の下側）には再生光を検出するための検出手段であるＣＣＤまたはＣＭＯＳセンサ２９が設けられ、さらに、偏光分離面１６ａに再生用参照光が入射してくる方向（ＰＢＳの右側）にはデフォーカス用凸レンズ１７が配置されている。さらに、デフォーカス用凸レンズ１７の光の入射方向にはコリメータレンズ１８および光源装置１９が配置されている。このデフォーカス用凸レンズによって平行光を対物レンズ１２に発散して入射する再生用参照光が生成される。この再生用参照光は情報記録媒体１に今回再生すべき情報を記録する際に用いられた記録用参照光と同じものである。
【００３２】
なお、その他いろいろな光学部品等が配置されるべきであるが、説明を簡単化するために本発明では必要最小限のものに限定して図示、説明することとしている。従って、本来ならサーボ用の光源も存在するが、図示を省略してある。
【００３３】
続いて、本発明によるテンプレートマッチングの改良について説明する。
【００３４】
まず、本発明においては、乗算演算の回数を減らすために、テンプレート画像としてホワイトＳｙｎｃコードを導入する。即ち、式（１）において、Ｔ（ｘ，ｙ）＝Ｃｏｎｓｔａｎｔとする。こうすることによって、式（１）は、
【００３５】
【数１０】
2004310957.tif 000008
となる。
【００３６】
式（２）が示すように、ページデータのＳｙｎｃコードを全てホワイトＳｙｎｃコードにすることによって、乗算演算回数を削減することができる。ここで、ＳｙｎｃコードがＣｏｎｓｔａｎｔになるように、例えば全て“１”からなるコードにする。従来はテンプレート画像Ｔ（ｘ，ｙ）として全て“１”からなるコードを導入することは無いので、これによって演算回数を減らすことができる要素の１つとなる。従来はテンプレート画像Ｔ（ｘ，ｙ）として様々なグレイスケールを持ったピクセル値が存在し、ホワイトＳｙｎｃコードのようにピクセル値が全て“１”となるようなコードは用いられていなかったのである。
【００３７】
式（２）のようにすると、従来では４次元での計算をしなければならなかったが、３次元まで減少させることができる。つまり、図２で示される従来の方法において、最大相関値を有するポジションを得るためには、ソース画像（再生像）の中の全ての座標位置について類似性が計算されることになるが、ホワイトＳｙｎｃコードによってソース画像の全ての座標位置に対しての演算が必要なくなるのである。では、具体的にその手法について説明していくこととする。
【００３８】
まず、図５で示されるように、ｘ方向のサーチを考える。つまり、ｙ座標の位置を固定し、ｘ方向にソース画像を動かして相関値Ｃｘ，ｙを求めるのである。式（２）でＣｏｎｓｔａｎｔを無視すると、Ｃｘ，ｙは、
【００３９】
【数１１】
2004310957.tif 000009
となる。また、次のサーチポジション（ｘ＋１，ｙ）における相関値Ｃｘ＋１，ｙは、式（４）のように表せる。
【００４０】
【数１２】
2004310957.tif 000010
そして、図５、式（３）および（４）を参照すると、Ｃｘ，ｙとＣｘ＋１，ｙの関係は式（５）のように表せることになる。
【００４１】
【数１３】
2004310957.tif 000011
ここで、ＳｕｍＬｉｎｅ（ｘ）は、ソース画像のＸ番目の列におけるピクセル強度の総和を示し、ＳｕｍＬｉｎｅ（Ｗｔ＋ｘ）はソース画像の（Ｗｔ＋ｘ）番目の列におけるピクセル強度の総和を示している。従って、それぞれは式（６）のように表される。
【００４２】
【数１４】
2004310957.tif 000012
続いて、図６で示されるように、ｙ方向のサーチを考える。つまり、ｘ座標の位置を固定し、ｙ方向にソース画像を動かして相関値Ｃｘ，ｙを求めるのである。ｘ方向の場合と同じように、式（２）でＣｏｎｓｔａｎｔを無視すると、相関値Ｃｘ，ｙは、
【００４３】
【数１５】
2004310957.tif 000013
となる。また、次のサーチポジション（ｘ，ｙ＋１）における相関値Ｃｘ，ｙ＋１は、式（８）のように表せる。
【００４４】
【数１６】
2004310957.tif 000014
そして、図６、式（７）および（８）を参照すると、Ｃｘ，ｙとＣｘ，ｙ＋１の関係は式（９）のように表せることになる。
【００４５】
【数１７】
2004310957.tif 000015
ここで、ＳｕｍＬｉｎｅ（ｙ）は、ソース画像のＹ番目の列におけるピクセル強度の総和を示し、ＳｕｍＬｉｎｅ（Ｈｔ＋ｙ）はソース画像の（Ｈｔ＋ｙ）番目の列におけるピクセル強度の総和を示している。従って、それぞれは式（１０）のように表される。
【００４６】
【数１８】
2004310957.tif 000016
また、式（５）および（９）は、全てのサーチポイントについて、テンプレートエリアの１列または１行のピクセル強度の総和を計算すればよいことを示している。従来の方法では式（１）のように総テンプレートエリアについての相関値を計算しなければならないが、本発明によれば、劇的に計算量を削減することができる。
【００４７】
以上の論理を整理してフローチャーに表したのが図７である。図７を用いて、本実施の形態による画像検出の処理を説明する。
【００４８】
まずステップＳ１０１において、図５や６の原点（０，０）における相関値Ｃ（０，０）が式（３）または（７）に基づいて算出される。
【００４９】
続いて、ステップＳ１０２において、Ｘ方向へのサーチを行う。つまり、Ｙ成分を固定してＸ方向についてのみ順々に相関値を計算する。これによって得られる相関値の集合は、（Ｃ０，０，Ｃ１，０，Ｃ２，０，Ｃ３，０・・・・・・・・，ＣＷ，０）となる。
【００５０】
次に、ステップＳ１０３において、Ｙ方向へのサーチを行う。このとき、ステップＳ１０２で得られた各相関値が初期値とされてＹ方向の相関値が算出される。即ち、相関値のそれぞれの集合は次のように表される。
（Ｃ０，０，Ｃ０，１，Ｃ０，２，Ｃ０，３・・・・・・・・，Ｃ０，Ｈ），
（Ｃ１，０，Ｃ１，１，Ｃ１，２，Ｃ１，３・・・・・・・・，Ｃ１，Ｈ），
（Ｃ２，０，Ｃ２，１，Ｃ２，２，Ｃ２，３・・・・・・・・，Ｃ０，Ｈ），
・・・・・・・・・・・・・・・・・・・・・・・・，
（ＣＷ，０，ＣＷ，１，ＣＷ，２，ＣＷ，３・・・・・・・・，ＣＷ，Ｈ）
このように、ステップＳ１０３で全ての相関値が算出されることになる。
【００５１】
そして、ステップＳ１０４において、ステップＳ１０３で得られた相関値から最大となる相関値が選択される。この最大相関値を有する位置（Ｘｍａｘ，Ｙｍａｘ）がテンプレート画像とソース画像とのマッチングが取れた位置であるとみなすことができるわけである。
【００５２】
なお、ここでは、まずＹ成分を固定してＸ方向へのサーチを行っているが、Ｘ成分を固定してＹ方向のサーチを先に行っても良い。
【００５３】
以上のように、本発明の実施の形態によれば、ピクセル値が全て“１”となるようなホワイトＳｙｎｃコードを導入したので、相関値のための計算量を減らすことができる。また、相関値を計算する際に、まずＸ方向又はＹ方向を固定して、どちらか一方のサーチを行い、それが終了した後でもう一方のサーチを行うので、計算が簡略化でき、相関値の計算量を劇的に減少させることができる。つまり、ＸＹのいずれかの方向の成分を固定することにより、相関値は式（５）や（９）のような数列式で表されるので、相関値の計算が簡素化されるのである。
【００５４】
以上、本発明の構成および動作をその原理と実施の形態に基づいて説明してきたが、本発明は上記実施の形態に限定されず、発明の本旨を逸脱しない範囲において、様々な変形が可能である。
【００５５】
尚、実施の形態における一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどにプログラム格納媒体からインストールされる。
【００５６】
また、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【図１】ホログラム記録に用いられるページデータおよびＳｙｎｃコードを示す図である。
【図２】従来のテンプレートマッチングを示す図である。
【図３】本発明の実施の形態に係る光情報記録再生装置におけるピックアップおよび光情報記録媒体の構成を示す図である。
【図４】本発明の実施の形態に係る光情報記録再生装置の全体構成を示すブロック図である。
【図５】本発明の実施の形態に係る再生像位置決め用アルゴリズムにおけるＸ方向のサーチを示す図である。
【図６】本発明の実施の形態に係る再生像位置決め用アルゴリズムにおけるＹ方向のサーチを示す図である。
【図７】本発明の実施の形態に係る再生像位置決め用アルゴリズムを示すフローチャートである。
【符号の説明】
１  情報記録媒体
１０  光情報記録再生装置
１１  光ピックアップ
１９  光源装置（レーザ）
２０  ＣＣＤアレイまたはＣＭＯＳセンサ
８９  信号処理回路
９０  コントローラ
９１  駆動装置
【図１】
2004310957.tif 000021
【図２】
2004310957.tif 000022
【図３】
2004310957.tif 000023
【図４】
2004310957.tif 000024
【図５】
2004310957.tif 000025
【図６】
2004310957.tif 000026
【図７】
2004310957.tif 000027